(57)【要約】【課題】操作レバーと消火栓弁を連結するケーブルとホースとが干渉しないようにした消火栓装置を提供する。【解決手段】本発明に係る消火栓装置１は、ホース１５を収納するホース収納部１７を備えた本体３と、本体３の前面に配設されると共にホース１５を引き出すための開口部５ａを有する前面パネル５と、前面パネル５の開口部５ａに開閉可能に設けられ、下辺を回動可能に支持された前傾式扉７と、前傾式扉７の内面側に設けられて本体３の外部に設けられた消火栓弁をケーブル９を介して開閉操作する操作レバー１１と、を備えた消火栓装置１であって、前傾式扉７の下辺の回動軸が通る位置に設けられてケーブル９を収納するケーブル収納筒１３を有し、ケーブル収納筒１３は、前傾式扉７側及び／又は本体３側に取り付けられており、前傾式扉７の全開状態ではケーブル収納筒１３の上面に筒壁があることを特徴とするものである。【選択図】  図１
2018011692.tif 000002
【特許請求の範囲】
【請求項１】
ホースを収納するホース収納部を備えた本体と、該本体の前面に配設されると共に前記ホースを引き出すための開口部を有する前面パネルと、該前面パネルの開口部に開閉可能に設けられ、下辺を回動可能に支持された前傾式扉と、該前傾式扉の内面側に設けられて前記本体の外部に設けられた消火栓弁をケーブルを介して開閉操作する操作レバーと、を備えた消火栓装置であって、
前記前傾式扉の下辺の回動軸が通る位置に設けられて前記ケーブルを収納するケーブル収納筒を有し、該ケーブル収納筒は、前記前傾式扉側及び／又は前記前面パネル側に取り付けられており、前記前傾式扉の全開状態において前記ケーブル収納筒の上面に筒壁があることを特徴とする消火栓装置。
【請求項２】
前記ケーブル収納筒は、軸方向に延びる切欠き部が筒壁に形成されていることを特徴とする請求項１記載の消火栓装置。
【請求項３】
前記ケーブル収納筒は軸方向で２分割されており、分割された一方の固定筒状体は前記前面パネル側に取り付けられ、分割された他方の扉側筒状体は前記前傾式扉側に取り付けられていることを特徴とする請求項１又は２に記載の消火栓装置。
【発明の詳細な説明】
【技術分野】
【０００１】
本発明は、トンネル等に設置される消火栓装置に関する。
【背景技術】
【０００２】
例えば特許文献１には、本体を構成する前面パネルに前傾式扉を設け、該前傾式扉を開扉した状態でホースを引き出すようにした消火栓装置が開示されている。
そして、前傾式扉の内面側には、前記本体の外部に設けられた消火栓弁を、ケーブルを介して開閉操作する操作レバーが取り付けられている。
【０００３】
操作レバーと消火栓弁を連結するケーブルは、前傾式扉の内面側に取り付けられた操作レバーから引き出されて、前傾式扉の下辺部を通過して本体内部に引き入れられ、本体の外部へと引き回されている。
【先行技術文献】
【特許文献】
【０００４】
【特許文献１】特開２０１２−１８７２８３号公報
【発明の概要】
【発明が解決しようとする課題】
【０００５】
消火栓装置においてホースは本体内に収納されており、消火活動時には、前傾式扉を開扉して引き出すため、ホースの引き出し時には、前傾式扉の下辺を跨ぐようになる。また、消火活動の際には、当該消火栓装置の位置に対して火災現場がどの方向になるかが決まっていないので、ホース引き出し時には、ホースは前傾式扉の下辺のいずれの部位とも接触する可能性がある。
【０００６】
上述したように、操作レバーと消火栓弁を連結するケーブルは、操作レバーが前傾式扉の内面側に取り付けられているため、必然的に前傾式扉の下辺を跨ぐようにして本体内に引き入れられる。
このため、消火活動時にホースとケーブルが干渉することがある。消火活動時のホースは充水されて、重量もあることから、ケーブルとホースが干渉、特にケーブルがホースと前傾式扉の下辺との間に挟まれると、ケーブルが切断されることが考えられる。
ケーブルが切断されると、操作レバーから消火栓弁の操作ができなくなり、大きな問題となる。
【０００７】
本発明はかかる課題を解決するためになされたものであり、操作レバーと消火栓弁を連結するケーブルとホースとが干渉しないようにした消火栓装置を提供することを目的としている。
【課題を解決するための手段】
【０００８】
（１）本発明に係る消火栓装置は、ホースを収納するホース収納部を備えた本体と、該本体の前面に配設されると共に前記ホースを引き出すための開口部を有する前面パネルと、該前面パネルの開口部に開閉可能に設けられ、下辺を回動可能に支持された前傾式扉と、該前傾式扉の内面側に設けられて前記本体の外部に設けられた消火栓弁をケーブルを介して開閉操作する操作レバーと、を備えた消火栓装置であって、前記前傾式扉の下辺の回動軸が通る位置に設けられて前記ケーブルを収納するケーブル収納筒を有し、該ケーブル収納筒は、前記前傾式扉側及び／又は前記前面パネル側に取り付けられており、前記前傾式扉の全開状態において前記ケーブル収納筒の上面に筒壁があることを特徴とするものである。
【０００９】
（２）また、上記（１）に記載のものにおいて、前記ケーブル収納筒は、軸方向に延びる切欠き部が筒壁に形成されていることを特徴とするものである。
【００１０】
（３）また、上記（１）又は（２）に記載のものにおいて、前記ケーブル収納筒は軸方向で２分割されており、分割された一方の固定筒状体は前記前面パネル側に取り付けられ、分割された他方の扉側筒状体は前記前傾式扉側に取り付けられていることを特徴とするものである。
【発明の効果】
【００１１】
本発明に係る消火栓装置においては、前傾式扉の下辺の回動軸が通る位置に設けられて操作レバーと消火栓弁を連結するケーブルを収納するケーブル収納筒を有し、該ケーブル収納筒は、前記前傾式扉側及び／又は前記前面パネル側に取り付けられており、前記前傾式扉の全開状態では前記ケーブル収納筒の上面に筒壁があるようにしたので、ホースの引き出し時において、ホースとケーブルが干渉することがなく、ケーブルの切断等の不具合が生ずることがない。また、ケーブル収納筒は回動軸が通る位置に設けられているので、前傾式扉の開閉の際にケーブル収納筒に挿入されたケーブルが暴れることを抑制できる。
【図面の簡単な説明】
【００１２】
【図１】本発明の実施の形態に係る消火栓装置の閉扉状態の正面図である。
【図２】図１に示した消火栓装置の開扉状態の正面図である。
【図３】図１に示した消火栓装置の前傾式扉と前面パネルとの連結部を真上から見た状態を示す図である。
【図４】図１に示した消火栓装置の前傾式扉と前面パネルとの連結部に設けるケーブル収納筒の斜視図である。
【図５】本発明の実施の形態に係る消火栓装置におけるケーブル収納筒の作用を説明する説明図であり、閉扉状態を外側正面から見た状態を示す図である。
【図６】図５に示す状態を本体の内側から見た状態を示す図である。
【図７】図６に示す状態の斜視図である。
【図８】本発明の実施の形態に係る消火栓装置におけるケーブル収納筒の作用を説明する説明図であり、開扉状態を外側正面から見た状態を示す図である。
【図９】図８に示す状態を本体の内側から見た状態を示す図である。
【図１０】図８に示す状態のケーブル収納筒の形状の説明図である。
【発明を実施するための形態】
【００１３】
本実施の形態に係る消火栓装置１は、図１、図２に示すように、箱状の本体３と、本体３の前面に設けられた開口部５ａを有する前面パネル５と、前面パネル５の開口部５ａに開閉可能に設けられた前傾式扉７と、後述する配管系統２１に接続され、本体３内もしくは、本体３の外部に設けられた消火栓弁をケーブル９を介して開閉操作する操作レバー１１と、前傾式扉７の下辺の回動軸が通る位置に設けられてケーブル９を収納するケーブル収納筒１３とを備えている。
以下、各構成を詳細に説明する。
【００１４】
＜本体＞
本体３は、図１、図２に示すように、矩形の箱状からなり、本体３内には内巻きに巻き回されたホース１５を収納するホース収納部１７及びホース収納部１７に収納されたホース１５を引き出すための中央開口部１９が設けられている。また、本体３内には、ホース収納部１７の右側に、メンテナンス弁、消火栓弁や自動調圧弁を有する配管系統２１が設けられている。配管系統２１は、先端側がホース１５の基端側と接続されるとともに、基端側が図示しない給水源に接続されている。なお、消火栓弁や自動調圧弁は、本体３の外部で給水源から配管系統２１に至る給水管の途中に設けられていてもよい。
【００１５】
《ホース収納部》
ホース収納部１７は、本体３の内壁上面から内壁下面に至る２本の棒状体２３と、棒状体２３から本体３の内壁背面に至る略Ｌ字状に屈曲した２枚の帯板２５とを備えて構成されている。
そして、２本の棒状体２３の間に中央開口部１９が形成され、ここからホース１５が引き出される。
【００１６】
また、図１、図２に示すように、本体３の図中左側には、消火器を収納するための消火器収納部２７が設けられている。
【００１７】
＜前面パネル＞
前面パネル５は、本体３の前面に設けられ、中央開口部１９の前方に位置する部位が開口しており、この開口部５ａを開閉可能に前傾式扉７が取り付けられ、また前面パネル５の左側には消火器扉２９が開閉可能に設けられている。
【００１８】
＜前傾式扉＞
前傾式扉７は板状の金属板から構成された横長の矩形状をしており、上述のように前面パネル５の開口部５ａを開閉可能に取り付けられている。
前傾式扉７は、閉鎖状態において下辺（以下、この部分を前傾式扉７の下辺と呼ぶ）両端付近に回動軸（蝶番３０）が設けられ、開口部５ａを閉鎖状態から、図２に示すように、略１８０°開くことができる。
【００１９】
前傾式扉７の内面側には、消火ノズル３１を着脱可能に固定するノズル固定部３３及び、ホース１５に消火水を供給する配管系統２１に設けられた消火栓弁（図示なし）を開閉操作する操作レバー１１が設けられている。
操作レバー１１と図示しない消火栓弁との間は、ケーブル９を介して連結されている（図２参照）。
なお、前傾式扉７におけるノズル固定部３３に対応する箇所は透明なアクリル板が設置されており、前傾式扉７の閉鎖時には、その背面側に着脱可能に固定されている消火ノズル３１が見える。
【００２０】
＜ケーブル収納筒＞
ケーブル収納筒１３は、前傾式扉７の下辺の両端部に設けられた蝶番３０の間に設けられて、操作レバー１１と消火栓弁を連結するケーブル９を収納するものである。
なお、ケーブル収納筒１３は少なくともケーブル９を収納するものであるが、ケーブル９の他に、例えば、操作レバー１１の開閉状態を検出するリミットスイッチの電線等を収納するようにしてもよい。
ケーブル収納筒１３は蝶番３０の間に配置され、ケーブル収納筒１３は回動軸の軸線が通る位置に設けられている。ここで、前傾式扉７の回動軸の軸線が通る位置とは、ケーブル収納筒１３をある位置に配置したときにケーブル収納筒１３内を回動軸の軸線が通過する状態になる位置のことを意味する。
なお、ケーブル収納筒１３の配置に関しては、ケーブル収納筒１３の軸線と前傾式扉７の回動軸とが平行であることが好ましく、さらにはケーブル収納筒１３の中心軸と前傾式扉７の回動軸とが一致するのが最も好ましく、本実施の形態ではこの状態になっている。
【００２１】
本実施の形態のケーブル収納筒１３は軸方向で２分割されており、前面パネル５側に取り付けられた固定筒状体３５と、前傾式扉７側に取り付けられた扉側筒状体３７の２つの筒状体で構成されている。
つまり、図１、図２において、図中右側は前傾式扉７側に取り付けられた扉側筒状体３７であり、図中左側は前面パネル５側に固定された固定筒状体３５である。なお、固定筒状体３５と扉側筒状体３７は同軸上に設けられている。
図３は、前傾式扉７を開放した状態で前傾式扉７の下辺部分を真上から見た状態を示す図であるが、図３においては、図中の右側が固定筒状体３５であり、図中左側が扉側筒状体３７である。
【００２２】
図４は、前傾式扉７を閉止した状態におけるケーブル収納筒１３の斜視図である。
前面パネル５側に固定される固定筒状体３５は、円筒体の周方向の一部が軸方向に全長に亘る切欠き部３５ａが形成されており、切欠き部３５ａの側辺から前面パネル５に固定するための一対の固定片３５ｂが所定の間隔を離して設けられている。一対の固定片３５ｂの間の隙間３５ｃはケーブル９が通されることで、固定片３５ｂはケーブル９の引き回しのガイドとしての機能を有する。
【００２３】
固定筒状体３５の切欠き部３５ａは、図４に示すように、固定筒状体３５における周面の内側下半分に設けられている。固定筒状体３５は前面パネル５に固定され、前傾式扉７が開閉されたときでも回動することがないので、切欠き部３５ａの位置は図４に示す位置で固定されている。したがって、固定筒状体３５の上面には常に筒壁がある状態になっている。
【００２４】
前傾式扉７に取り付けられている扉側筒状体３７の基本形状は、固定筒状体３５と同形状であり、切欠き部３７ａと一対の固定片３７ｂを有するが、全長は、固定筒状体３５よりも長く設定されている。
扉側筒状体３７は、前傾式扉７の回動に合わせて回動する。このとき、固定筒状体３５と扉側筒状体３７は同軸で、かつ蝶番３０の回動軸が通る位置にあるため、前傾式扉７が回動しても、扉側筒状体３７と固定筒状体３５の軸が大きくずれることはない。
なお、扉側筒状体３７における切欠き部３７ａの位置は、閉扉状態では、図４に示すように、内側上半分の位置であり、全開状態では、図２に示すように、外側下半分の位置となる。したがって、全開状態では、扉側筒状体３７の上面には筒壁がある。
【００２５】
ケーブル９は、図４において示した矢印に示すように、本体３の内部から固定筒状体３５の隙間３５ｃを通過して、固定筒状体３５及び扉側筒状体３７の内部を通り、隙間３７ｃから前傾式扉７側へと引き回されている。
【００２６】
ケーブル９がケーブル収納筒１３に挿入された状態で、前傾式扉７を開閉すると、扉側筒状体３７は前傾式扉７と共に１８０°回動するが、固定筒状体３５は動かないため、ケーブル収納筒１３の中でケーブル９が捩れることになる。しかし、ケーブル９は隙間３５ｃを介して本体３内に案内されているので、ケーブル９が暴れることがない。また、ケーブル９は回動軸と同軸上のケーブル収納筒１３に挿通されており、軸回りの捩れのみで大きく暴れることがない。
【００２７】
以上のように構成された本実施の形態の消火栓装置１の前傾式扉７の開閉時の作用について図５〜図１０に基づいて説明する。なお、図５、図６、図８、図９において、前面パネル５、前傾式扉７、蝶番３０、ケーブル収納筒１３及びケーブル９の他は図示を省略している。
【００２８】
前傾式扉７の閉扉状態を正面から見ると図５に示すように、前傾式扉７の下辺部の両端には蝶番３０があり、その間にケーブル収納筒１３が配置されている。ケーブル９はケーブル収納筒１３の中に挿通されており、外部からは見えない。
この閉扉状態を本体３の内側から見ると、図６に示すように、ケーブル収納筒１３に挿通されているケーブル９がケーブル収納筒１３の切欠き部３５ａ、３７ａから見える。図６と同様に本体３の内側から閉扉状態のケーブル収納筒１３を見ると、図７に示すようになっている。
【００２９】
前傾式扉７を開扉すると、約１８０°回動して図８の全開状態になる。このとき、図８に示すように、扉側筒状体３７は、その切欠き部３７ａが正面を向く状態になる。この状態を本体３の内側から見ると、図９に示すように、固定筒状体３５の切欠き部３５ａが内側正面を向いており、そこからケーブル９が見えている。
この状態を真上から見ると、図３及び図１０に示すように、ケーブル収納筒１３の上面には切欠き部３５ａ、３７ａが位置することなく、筒壁がある状態となる。したがって、図２に示すように、ホース１５を引き出す際に、ホース１５の位置が前傾式扉７の下辺のどの位置にあっても、ケーブル収納筒１３の筒壁があり、ケーブル９とホース１５が干渉することがない。
【００３０】
また、本実施の形態では、ケーブル収納筒１３を２分割して、前面パネル５側に固定筒状体３５を設けているので、ケーブル９は必ず固定筒状体３５に案内されて隙間３５ｃを通過して本体３の内部に引き回される。このため、前傾式扉７の開閉動作の際に、ケーブル９は、ケーブル収納筒１３内で軸回りに１８０°捩れるため、ケーブル収納筒１３の外に出ているケーブル９は大きく捩れることはない。特に、本体３内へは固定筒状体３５を介して引き込まれるので、本体３内でケーブル９が暴れることがなく、引き回された所定の経路を維持できる。
【００３１】
なお、上記の実施の形態では、ケーブル収納筒１３を２分割した例を示したが、本発明のケーブル収納筒１３は、分割されていない１本のものであってもよい。また、その場合において、前面パネル５側と前傾式扉７側のいずれに取り付けられていてもよい。
また、上記の実施の形態では、ケーブル収納筒１３に軸方向の切欠き部３５ａ、３７ａを設けており、ケーブル９の収納を容易にしているが、切欠き部がないものであってもよい。逆に切欠き部を設けた場合で、かつケーブル収納筒を前傾式扉７に取り付けた場合には、前傾式扉７を開けたときに、切欠き部が上方に位置することなく、上方には筒壁があるようにする必要がある。
【００３２】
また、上記の実施の形態では前傾式扉が全開状態で１８０°開くものであったが、本発明の消火栓装置における前傾式扉はこれに限られるものではなく、全開時の回動角度に制限はなく、例えば前傾式扉が前面パネルの下部に取り付けられ、全開時に９０°開くようなものであってもよい。
【符号の説明】
【００３３】
１  消火栓装置
３  本体
５  前面パネル
５ａ  開口部
７  前傾式扉
９  ケーブル
１１  操作レバー
１３  ケーブル収納筒
１５  ホース
１７  ホース収納部
１９  中央開口部
２１  配管系統
２３  棒状体
２５  帯板
２７  消火器収納部
２９  消火器扉
３０  蝶番
３１  消火ノズル
３３  ノズル固定部
３５  固定筒状体
３５ａ  切欠き部
３５ｂ  固定片
３５ｃ  隙間
３７  扉側筒状体
３７ａ  切欠き部
３７ｂ  固定片
３７ｃ  隙間
【図１】
2018011692.tif 000003
【図２】
2018011692.tif 000004
【図３】
2018011692.tif 000005
【図４】
2018011692.tif 000006
【図５】
2018011692.tif 000007
【図６】
2018011692.tif 000008
【図７】
2018011692.tif 000009
【図８】
2018011692.tif 000010
【図９】
2018011692.tif 000011
【図１０】
2018011692.tif 000012